(57)【要約】【課題】外観及び着用感が良好で、しかも、着用者のヒップが濡れる虞も少ないものとなりうる釣り用パンツを提供する。【解決手段】吸湿性生地からなるパンツ本体１を備えた釣り用パンツであって、前記パンツ本体１の外側には、部分的に且つ少なくとも前記パンツ本体１のヒップ部１ａを覆うように防水布部材５が積層されてなり、前記防水布部材５は、前記パンツ本体１側に配された防水シート３と表側に配された表面生地２とを備え、該表面生地２として前記パンツ本体１の吸湿性生地と同種の生地が用いられていることを特徴とする。【選択図】  図１
2004232120.tif 000002
【特許請求の範囲】
【請求項１】
吸湿性生地からなるパンツ本体（１）を備えた釣り用パンツであって、
前記パンツ本体（１）の外側には、部分的に且つ少なくとも前記パンツ本体（１）のヒップ部（１ａ）を覆うように防水布部材（５）が積層されてなり、
前記防水布部材（５）は、前記パンツ本体（１）側に配された防水シート（３）と表側に配された表面生地（２）とを備え、該表面生地（２）として前記パンツ本体（１）の吸湿性生地と同種の生地が用いられていることを特徴とする釣り用パンツ。
【請求項２】
前記防水シート（３）が、前記表面生地（２）の裏面側に接着されてなる請求項１記載の釣り用パンツ。
【発明の詳細な説明】
【０００１】
【発明の属する技術分野】
本発明は、釣りを行う際に着用される釣り用のパンツに関する。
【０００２】
【従来の技術】
一般に、釣り用のパンツとしては、波しぶきや予期せぬ雨等に備え、防水生地からなるレインパンツが主に着用されているが、このようなレインパンツは、防水生地からなるが故、吸湿性が非常に悪く蒸れやすく、着用感が悪いという問題を有している。従って、夏場等に於いて着用感が重視される場合には、このようなレインパンツではなく、吸湿性に優れた吸湿性生地からなるパンツが着用されることもある。
【０００３】
ところで、釣りを行っている際、長時間当たりを待つ間や休憩する時等に於いて、岩場や防波堤等に腰を掛ける場合も多いところ、上記の如き吸湿性生地からなるパンツは、岩場等に腰掛けた際に、吸湿性生地が岩場等の湿気や水分を吸収することから、着用者のヒップが濡れることがあるという問題を有している。
【０００４】
これに対して、パンツのヒップ部（着用者のヒップを覆う部分）の内側に防水シート（通常、吸湿性、通気性が吸湿性生地よりも低いものである）を縫着して、着用者のヒップが濡れることを防止することも考えられる。
しかしながら、内側に防水シートを縫着した場合には、汗をかいた際に、蒸れたりべた付いたりし易いことから、結局、着用感が損なわれるといった事態が予測される。
一方、ヒップ部の外側に防水シートを縫着した場合には、他の部分（防水シートを縫着していない部分）との色や材質の統一性が損なわれ、外観の損なわれるということが予測される。また、外側全体に防水シートを縫着した場合には、そのパンツを構成する生地の備えていた通気性が全体的に阻害され、結局、着用感の損なわれることが予測される。
【０００５】
【発明が解決しようとする課題】
そこで、本発明は、外観及び着用感が良好で、しかも、着用者のヒップが濡れる虞も少ないものとなりうる釣り用パンツを提供することを課題とする。
【０００６】
【課題を解決するための手段】
上記課題を解決すべく、本発明に係る釣り用パンツは、吸湿性生地からなるパンツ本体を備えた釣り用パンツであって、
前記パンツ本体の外側には、部分的に且つ少なくとも前記パンツ本体のヒップ部を覆うように防水布部材が積層されてなり、
前記防水布部材は、前記パンツ本体側に配された防水シートと表側に配された表面生地とを備え、該表面生地として前記パンツ本体の吸湿性生地と同種の生地が用いられていることを特徴とする。
斯かる構成を備えた釣り用パンツは、パンツ本体に、防水性部材が部分的に積層された構成であるため、防水性部材が全体的に積層されたものに比して、パンツ本体の本来備えている通気性が阻害される程度が低減する。
また、防水性部材がパンツ本体の外側に積層されるため、内側に防水シートを縫着した場合に比して、蒸れ等が低減され着用感が損なわれる虞も低減する。
更に、防水性部材の表面生地がパンツ本体の吸湿性生地と同種であることから、色や材質の統一感が損なわれず、外観が損なわれる虞も低減する。
従って、外観及び着用感が比較的良好で、しかも着用者のヒップが濡れる虞も少ないものとなりうる。
【０００７】
本発明の釣り用パンツに於いては、前記防水シートが、前記表面生地の裏面側に接着されてなるものが好ましい。
斯かる釣り用パンツに於いては、裏面側に防水シートが接着されていることから、表面生地にも比較的水が浸透し難くなり、ヒップ部にシミ（水が浸透してできるシミ）が付きにくいものとなる。
【０００８】
【発明の実施の形態】
以下、本発明の実施の形態について、図面を参照しつつ説明する。
図１は、本実施形態の釣り用パンツを示す概略正面図、図２は、図１のＡ−Ａ線断面図、図３は、図１のＢ−Ｂ線断面図である。
図１に示すように、本実施形態の釣り用パンツは、主に着用者の下半身を被覆する吸湿性生地からなるパンツ本体１を備えて構成されている。
ここで、吸湿性生地とは、標準状態（温度２０℃、相対湿度６５％）におけるその生地の水分率が１以上、好ましくは、２以上、より好ましくは３．５以上のものを意味し、この水分率は、標準状態質量と絶乾状態（通常１０５±２℃で恒重となった状態）質量との差の絶乾状態質量に対する百分率を測定することにより求められる。尚、この吸湿性生地は、通常、後述の防水シート３よりも通気性が高いものである。
吸湿性生地として具体的には、レーヨン、キュプラ、アセテート、綿、ナイロン、トリアセテート、アクリル等の吸湿性繊維の１種又は２種以上を含む生地や、生地を構成する繊維の断面形状（例えば、異形断面）、織り構造、後加工（例えば、吸水加工）等によって吸湿性が高められた生地を挙げることができる。
前記吸湿性生地は、通常、雨等をはじくように撥水加工が施されている。
【０００９】
前記パンツ本体１には、外側のみに且つ部分的に、防水布部材５が積層され、該防水布部材５は、パンツ本体１の少なくともヒップ部１ａの外側を覆っている。尚、防水布部材５が積層された部分以外は、主にパンツ本体１が露出した状態となっている。
ここで、防水布部材５とは、通常、常圧で水を透過させないもので、好ましくは、静止水圧法（ＪＩＳ  Ｌ１０９２  Ｂ法）で５００ｍｍ以上の耐水圧を示すものである。
前記防水布部材５は、パンツ本体１に積層された状態における股下長さが好ましくは５〜３０ｃｍ、より好ましくは５〜１５ｃｍ、股上長さが好ましくは１０〜２０ｃｍ、より好ましくは１０〜１５ｃｍの範囲に設定されている。
【００１０】
前記防水布部材５は、図１〜３に示すように、パンツ本体１側に配された防水シート３と表側に配された表面生地２とを備え、防水シート３が表面生地２の裏面側に接着されて構成されている。
【００１１】
前記表面生地２は、パンツ本体１の吸湿性生地と同種の生地が採用されている。
ここで、同種の生地とは、原料繊維、織り方（編み方）及び色が同一のもの、即ち、生地、染色の規格が全く同一のものを意味する。
【００１２】
前記防水シート３は、常圧で水を通さないシートで、該シートとしては、合成樹脂シート、具体的には、ビニル系樹脂シート、アクリル系樹脂シート、ウレタン系樹脂シート、フッ素系樹脂シートを挙げることができる。
前記防水性シートは、通常、直径（最大径）０．３〜１０μｍの孔が無数に備えられており、前記吸湿性生地よりも通気性が低いものの、内側からの汗（水蒸気）が透過されるように構成されている。
【００１３】
前記パンツ本体１は、図１に示すように、着用者の腰から膝上までを覆う本体短パン部６と、該本体短パン部６の下端部から下方に伸び着用者のすねを覆う筒状の裾部７とを備え、前記本体短パン部６と裾部７とは、例えば、スライドファスナー２０を介して着脱可能とされている。
前記本体短パン部６は、着用者のウエストの後ろ側を覆うウエスト片１１と、該ウエスト片１１の下端から下方に延び、ヒップ及び腿上部の後ろ側を覆うヒップ片１２と、ヒップ片１２の下端から下方に延び着用者の腿上部から膝上までの後ろ側を覆う腿片１３と、前記ウエスト片１１、ヒップ片１２及び腿片１３の両側縁部等に縫着された、着用者のウエストから膝上の前側を覆う前身片１４と、前記ウエスト片１１及び前身片１４の上端部に沿って縫着され且つ伸縮可能に構成された帯片１５とを備えて構成されている。
【００１４】
前記裾部７は、すねの前側を覆う裾前片（図示せず）とすね後ろ側を覆う裾後片７ａとを備え、これらの両側部が互いに縫合されて筒状に形成されている。
【００１５】
前記防水布部材５は、図１〜３に示すように、縫着により前記ヒップ片１２に積層されている。具体的には、図２に示すように、ヒップ片１２の外側に被せ且つ互いに縫合されるヒップ片１２の端部と前身片１４の端部との間に該防水布部材５の端部を介在させた状態で、これらを縫合することにより、ヒップ片１２の外側に積層された状態となっている。
【００１６】
前記防水布部材５は、図３に示すように、積層された状態に於いて、左右一対の左側片５ａと右側片５ｂとを備え、これらがそれぞれ中央側端部にて互いに縫合されて構成されている。また、縫合された部分の裏面側には、目止めテープ２１が貼着され、縫い目からの水の浸透が防止されている。
【００１７】
尚、本実施形態の釣り用パンツには、図１に示すように、適宜、防水布部材５の外側に配されたアウターポケット２２や防水布部材５の内側に備えられたインナーポケット２３が備えられている。
前記インナーポケット２３は、防水布部材５を切れ込み、該防水布部材５の内側に配された袋体に被収容物を収容しうるように構成されており、被収容物の水濡れを防止できる。従って、濡れてはならない被収容物の収容に好適である。
前記アウターポケット２２は、防水布部材５の外側に吸湿性生地を適宜縫着することにより構成されてなり、濡れた被収容物を収容してもポケットの内側で水が溜まる虞も無い。従って、濡れた被収容物の収容に好適である。
【００１８】
尚、本実施形態の釣り用パンツは、上記の如く構成されたが、本発明に於いては上記構成に限定されず、適宜設計変更可能である。
例えば、本実施形態に於いて、防水布部材５は、本体短パン部６の後ろ側の一部（即ち、ヒップ片）のみに積層されたが、本体短パン部６の後ろ側全面に積層される場合であっても本発明の意図する範囲内である。
【００１９】
【発明の効果】
以上のように、本発明に係る釣り用パンツは、外観及び着用感が良好で、しかも着用者のヒップが濡れる虞も少ないものとなりうる。
【図面の簡単な説明】
【図１】一実施形態の釣り用パンツを示す概略正面図。
【図２】図１のＡ−Ａ線矢視の拡大断面図。
【図３】図１のＢ−Ｂ線矢視の拡大断面図。
【符号の説明】
１    ・・・  パンツ本体
１ａ  ・・・  ヒップ部
２    ・・・  表面生地
３    ・・・  防水シート
５    ・・・  防水布部材
【図１】
2004232120.tif 000003
【図２】
2004232120.tif 000004
【図３】
2004232120.tif 000005